(57)【要約】【課題】金型の開閉時に射出成形機ベースに対して相対移動するキャビプレートにスライドコマを配置することができる射出成形金型等を提供すること。【解決手段】本発明の射出成形用金型１００は、射出成形機のベース１０８に着脱可能に取付けられるカセット金型を備え、カセット金型は、型開きするときにはベースから離れる方向に移動するキャビプレート２０と、前進後退位置間で移動可能にキャビプレートに取付けられたスライドコマ１０６と、スライドコマに連結されキャビプレートに取付けられたカセット側スライドユニット１０２とを備え、カセット側スライドユニットは、スライドコマが移動するときにはベースに設けられカセット側スライドユニットを移動させる駆動機構１１０に連結され、キャビプレートがベースから離れる方向に移動すると駆動機構から切り離される。【選択図】      図６
2004167807.tif 000002
【特許請求の範囲】
【請求項１】
射出成形機のベースに対して着脱可能に取付けられるカセット金型を備えた射出成形用金型であって、
前記カセット金型は、型締め時にコアプレートと接合されて該コアプレートとの間にキャビティを形成し型開きするときには前記ベースから離れる方向に移動するキャビプレートと、
先端部分が前記キャビティ内の所定位置に配置される前進位置と前記先端部分が前記所定位置から後退した後退位置との間で移動できるように前記キャビプレートに取付けられたスライドコマと、
該スライドコマに連結され該スライドコマと共に移動できるように前記キャビプレートに取付けられたカセット側スライドユニットと、を備え、
該カセット側スライドユニットは、前記スライドコマが移動させられるときには前記ベースに設けられ前記カセット側スライドユニットを移動させる駆動機構に連結されており、前記キャビプレートが前記ベースから離れる方向に移動すると前記駆動機構から切り離されるように構成されている、
ことを特徴とする射出成形用金型。
【請求項２】
前記カセット金型は、前記キャビプレートと前記ベースとの間に配置されるストリッパプレートを、さらに備えている、
請求項１に記載の射出成形用金型。
【請求項３】
前記カセット側スライドユニットが、前記駆動機構に設けられた凸部に向かって開口する凹部と備え、
該凹部に前記凸部が嵌合することにより、前記カセット側スライドユニットが前記駆動機構に連結される、
請求項１または２に記載の射出成形用金型。
【請求項４】
前記カセット金型は、複数のカセット側スライドユニットを備えている、
請求項１ないし３のいずれか１項に記載の射出成形用金型。
【請求項５】
ベースに対して着脱可能に取付けられ型締め時にコアプレートと接合されて該コアプレートとの間にキャビティを形成し、型開きするときには前記ベースから離れる方向に移動するキャビプレートと、
先端部分が前記キャビティ内の所定位置に配置される前進位置と前記先端部分が前記所定位置から後退した後退位置との間で移動できるように前記キャビプレートに取付けられスライドコマと、
該スライドコマに連結され該スライドコマと共に移動できるように前記キャビプレートに取付けられたカセット側スライドユニットと、を備えたカセット金型の取付け構造であって、
前記ベースに取付けられ、前記スライドコマを移動させるときには前記カセット側スライドユニットに連結され、前記キャビプレートが前記ベースから離れる方向に移動すると前記カセット側スライドユニットから切り離されるスライドユニット駆動機構を備えている、
ことを特徴とする取付け構造。
【発明の詳細な説明】
【０００１】
【発明の属する技術分野】
本発明は、射出成形用金型等に関するものであり、より詳細には、カセット金型を備えた射出成形用金型等に関する。
【０００２】
【従来の技術】
射出成形品にボス孔、アンダカット等を形成するために、射出時にはキャビティ内に配置されてボス孔やアンダカットを形成する共に、溶融材料の硬化後の型開き時には、キャビティから退出するスライドコマが用いられている。
このようなスライドコマを移動させる機構として、カム機構、アンギュラーピン等の金型の相対移動を機械的にスライドコマの移動に変換する機構や、油圧シリンダを用いた機構が提案されている。
金型部品の共通化によるコスト低減等を図るため、キャビティを形成するキャビプレート、コアプレートおよびその周辺の部品を専用部品としてカセット化し、ベースなどの他の部品を共通化したカセット金型が提案されている。
【０００３】
さらに、このようなカセット金型において、型開き時にランナを成形品から自動的に切断することができるようにするため、金型を、コアプレートと共にキャビティを形成するキャビプレートとキャビプレート取付け板との間にストリッパプレートを配置したスリープレート構成とし、射出成形後の型開き時には、まず、キャビプレートとストリッパプレートとを分離してゲート部分で成形品とランナ内の樹脂部分とを切り離し、次いで、射出成形機のベースに固定されたキャビプレート取付け板とストリッパプレートとを分離して、最後に、キャビプレートとコアプレートとを分離して、成形品を取り出す構成とした金型が提案されている。本願発明のはこのような技術をもとに開発されたものである。
【０００４】
【発明が解決しようとする課題】
このような金型では、金型開閉の際に、キャビプレートが射出成形機のベースに対して移動する構造であるため、キャビプレートにスライドコマを配置することが困難であった。
本発明はこのような問題に鑑みてなされたものであり、金型の開閉時に射出成形機ベースに対して相対移動するキャビプレートにスライドコマを配置することができる射出成形金型等を提供することを目的とする。
【０００５】
【課題を解決するための手段】
本発明によれば、射出成形機のベースに対して着脱可能に取付けられるカセット金型を備えた射出成形用金型であって、前記カセット金型は、型締め時にコアプレートと接合されて該コアプレートとの間にキャビティを形成し型開きするときには前記ベースから離れる方向に移動するキャビプレートと、先端部分が前記キャビティ内の所定位置に配置される前進位置と前記先端部分が前記所定位置から後退した後退位置との間で移動できるように前記キャビプレートに取付けられたスライドコマと、該スライドコマに連結され該スライドコマと共に移動できるように前記キャビプレートに取付けられたカセット側スライドユニットと、を備え、該カセット側スライドユニットは、前記スライドコマが移動させられるときには前記ベースに設けられ前記カセット側スライドユニットを移動させる駆動機構に連結されており、前記キャビプレートが前記ベースから離れる方向に移動すると前記駆動機構から切り離されるように構成されていることを特徴とする射出成形用金型が提供される。尚、駆動機構は、油圧シリンダ等のアクチュエータを備えているのが好ましい。
【０００６】
このような構成を有する本発明によれば、射出成形機のベース側に取付けられスライドコマに連結されたカセット側スライドユニットを動かす駆動機構が、スライドコマ移動時には、カセット側スライドユニットに連結され、キャビプレートがベースから離れる方向に移動すると、前記ベースに設けられた前記カセット側スライドユニットを移動させる駆動機構からカセット側スライドユニットが切り離されるように構成されているので、キャビプレートが移動する構成であっても、キャビティプレートにスライドコマを配置することが可能となる。
【０００７】
本発明の好ましい態様によれば、前記カセット金型は、前記キャビプレートと前記ベースとの間に配置されるストリッパプレートを、さらに備えている。
本発明の他の好ましい態様によれば、前記カセット側スライドユニットが、前記駆動機構に設けられた凸部に向かって開口する凹部と備え、該凹部に前記凸部が嵌合することにより、前記カセット側スライドユニットが前記駆動機構に連結される。
このような構成によれば、キャビプレートがベースに近づいたり離れたりするだけで、カセット側スライドユニットと駆動機構とが連結されたり、切り離されたりする。
【０００８】
本発明の他の好ましい態様によれば、前記カセット金型は、複数のカセット側スライドユニットを備えている。
本発明の他の態様によれば、ベースに対して着脱可能に取付けられ、型締め時にコアプレートと接合されて該コアプレートとの間にキャビティを形成し、型開きするときには前記ベースから離れる方向に移動するキャビプレートと、先端部分が前記キャビティ内の所定位置に配置される前進位置と前記先端部分が前記所定位置から後退した後退位置との間で移動できるように前記キャビプレートに取付けられたスライドコマと、該スライドコマに連結され該スライドコマと共に移動できるように前記キャビプレートに取付けられたカセット側スライドユニットと、を備えたカセット金型の取付け構造であって、前記ベースに取付けられ、前記キャビプレートが前記ベースから離れる方向に移動すると、前記カセット側スライドユニットから切り離されるスライドユニット駆動機構を備えていることを特徴とする取付け構造が提供される。
【０００９】
このような構成を有する本発明によれば、スライドコマに連結されたカセット側スライドユニットを動かす駆動機構が、射出成形機のベース側に取付けられ、キャビプレートがベースから離れる方向に移動すると前記ベースに設けられた前記カセット側スライドユニットを移動させる駆動機構から切り離されるように構成されているので、キャビプレートが移動する構成であっても、キャビティプレートにスライドコマを配置することが可能となる。
【００１０】
【発明の実施の形態】
以下、図面を参照して本発明の好ましい実施形態について詳細に説明する。まず、本発明の好ましい実施形態の射出成形用金型が前提とする所謂スリープレートタイプの射出成形用金型１０について説明する。図１は型締め状態にある射出成形用金型１０を示す模式的な断面図であり、図２は、型開き状態にある射出成形用金型１０を示す模式的な断面図である。
【００１１】
図１及び図２に示されているように、射出成形用金型１０は、固定型１２と、移動型１４とを備えている。これらの固定型１２および移動型１４は、両者が互いに離れた型開き状態（図２）と、両者が接合して間に製品形状に対応するキャビティを形成する型締め状態（図１）との間で移動できるように射出成形機（図示せず）に取付けられている。射出成形用金型１０は、公知の射出成形用金型と同様に、型締め状態で、固定型１２と移動型１４の間に形成されたキャビティ内に溶融した樹脂材料を射出して射出成形が行われ、その後、移動型１４が図２に示される状態に移動させられ（型開きして）、硬化した製品Ｐが固定型１４から取外されるように構成されている。
【００１２】
固定型１２は、ほぼ長方形のキャビプレート取付け板１６と、ストリッパプレート１８と、キャビプレート２０とを備えている。ストリッパプレート１８と、キャビプレート２０とは、ガイドポスト２２に沿って、キャビプレート取付け板１６に近づいたり離れたりするように構成されている。キャビプレート２０は、移動型１４のコアプレートと共にキャビティを形成する金型の主要部であり、金型に適した金属材料で形成されている。又、キャビプレート２０の表面には、射出成形によって製造される成形品の形状データに基づいて加工が施されている。
【００１３】
キャビプレート取付け板１６、ストリッパプレート１８内には、ホットランナ２４が設けられ、キャビプレート２０内には、ホットランナ２４に連通するランナー２６が形成されている、ランナー２６の先端は、キャビティに通じるゲート２８とされている。また、ランナーロックピン３０が、キャビプレート取付け板１６からストリッパプレート１８を貫通してランナー２６内に延びている。
【００１４】
固定型１２は、キャビプレート取付け板１６、ストリッパプレート１８、キャビプレート２０がカセット化され、キャビプレート取付け板１６を射出成形機のベース（図示せず）に固定することにより、射出成形機に対して着脱自在に取付けられる。
【００１５】
移動型１４は、ほぼ長方形のコアプレート取付け板３２と、コアプレート３４とを備えている。コアプレート３４は、図１に示されているように、キャビプレート２０と接合したとき間に、製品Ｐの形状に対応した形状の空間（キャビティ）を形成するように構成されている。また、移動型１４には、製品Ｐを突き出すエジェクタピン３６が取付けられている。
移動型１４も、コアプレート取付け板３２、コアプレート３４等がカセット化され、コアプレート取付け板３２を射出成形機の他方のベース（図示せず）に固定することにより、射出成形機に対して着脱自在に取付けられる。
【００１６】
このような構成を有する射出成形用金型１０の動きを説明する。射出成形用金型では、固定型１４及び移動型１２が、射出成形機の作動により、射出成形が行われる型締め状態（図１）と、成形品の取り出しが行われる型開き状態（図２）との間で相対移動させられる。型締め状態から型開き状態への移動は、まず、移動型１４とキャビプレート２０とが一体となって、固定型１２から離れる（図３参照）。即ち、固定型１２のキャビプレート２０とストリッパプレート１８とが分離され、ゲート２８でランナ２６内の樹脂部分が成形品Ｐから切り離される。次いで、ストリッパプレート１８が、キャビプレート取付け板１６から分離させられる（図４）。この動きにより、ホットランナ２４からプランジャが待避すると共に、ランナロックピン３０の先端がランナ２６内の樹脂部分から引き抜かれ、ランナ２６内の樹脂部分がストリッパプレート１８から解放され落下する。次いで、更に、移動型１４を後退させて、コアプレート３４をキャビプレート２０から離し（図２）、最後に、エジェクタピン３６をコアプレート３４の表面から突出させ成形品Ｐを離型させる（図５）。
【００１７】
次に、このようなスリープレートタイプのカセット金型のキャビプレートにスライドコマをスライドさせる機構が設けられている本発明の一実施形態の射出成形用金型について説明する。図６ないし図８は、上記した射出成形用金型１０と同様の構成を有する射出成形用金型１００の移動型のキャビプレート一端部近傍を拡大した図面であり、図６は型開き状態を、図７および図８は型締め状態をそれぞれ示す。尚、射出成形用金型１０の部品と対応する部品については、同一の参照番号を付す。
【００１８】
キャビプレート２０の端部には、キャビプレート２０に対して移動可能に取付けられたスライドユニット１０２が配置されている。スライドユニット１０２は、キャビプレートの端部に設けられたスライドレール１０４に沿って、キャビプレート２０の中央に形成されるキャビティに近づいたり離れたりできるように構成されている。スライドユニット１０２には、スライドコマ（サイドコア）１０６が連結されている。
【００１９】
スライドコマ１０６は、射出成形時に、先端部分等がキャビティ内に配置され、成形品Ｐにアンダカット部、ボス孔等を形成する部品である。スライドコマ１０６は、ネジ等によって、スライドユニット１０２に連結され、スライドユニット１０２と一体的に移動できるように構成されている。
【００２０】
一方、移動型１４が取り付けられている射出成形機のベース１０８には、移動型１４のスライドユニット１０２に係合し、スライドユニット１０２およびスライドコマ１０６を移動させる駆動機構が設けられている。この駆動機構は、射出成形機に設けられた油圧シリンダ等のアクチュエータ（図示せず）と、アクチュエータによってスライドするベース側スライドユニット１１０とを備えている。ベース側スライドユニット１１０は、アクチュエータによって、図７に示されている後退位置と、図８に示されている前進位置との間を移動できるように構成されている。ベース側スライドユニット１１０は、後退位置にあるときにカセット側スライドユニット１０２の凹部１０２ａに係合する凸部１１０ａを有している。カセット側スライドユニット１０２の凹部１０２ａは、ベース側スライドユニットの凸部１１０ａに向かって開口している。
【００２１】
本実施形態の射出成形用金型１００では、型開き時には、図６に示されているように、キャビプレート２０がベース１０８から離れるため、カセット側スライドユニット１０２とベース側スライドユニット１１０とは離れた状態となる。すなわち、キャビプレート２０がベース１０８から離れる方向に移動すると、カセット側スライドユニット１０２の凹部１０２ａからベース側スライドユニットの凸部１１０ａが抜けて、後退位置にあるカセット側スライドユニット１０２とベース側スライドユニット１１０との連結が解除され、カセット側スライドユニット１０２は、ベース側の駆動機構から切り離された状態となる。
【００２２】
一方、射出成形が行われる型締めに先立って、キャビプレート２０がベース１０８に接近すると、後退位置にあるカセット側スライドユニット１０２の凹部１０２ａに、後退位置にあるベース側スライドユニット１１０の凸部１１０ａが係合し、カセット側スライドユニット１０２とベース側スライドユニット１１０とが一体的に移動する状態となる。このためアクチュエータによってベース側スライドユニット１１０が移動させられると、カセット側スライドユニット１０２およびスライドコマ１０６が移動させられる。
【００２３】
アクチュエータによるベース側スライドユニット１１０の移動範囲は、ベース側スライドユニット１１０が前進位置に到達したとき、スライドコマ１０６の先端がキャビティ内の所定位置に配置されるように設定されている。従って、型締め時に、アクチュエータによってベース側スライドユニット１１０を前進位置に配置することにより、スライドコマ１０６を所定位置に配置することができる（図８）。
【００２４】
本発明は上述した実施形態に限定されるものではなくて、特許請求の範囲に記載された事項の範囲内で種々の変更、変形が可能である。
例えば、１つのカセット金型が複数のカセット側スライドユニットを備えても良く、また、１つのカセット側スライドユニットに複数のスライドコマを固定する構成でもよい。
【００２５】
また、カセット側スライドユニット１０２と、ベース側スライドユニット１１０との連結の態様は、キャビプレートの移動によって、連結・切り離しが行われる形態であればどのような態様でも良い。例えば、カセット側スライドユニット１０２に凸部、ベース側スライドユニット１１０に凹部を設けた構成、または、一方にピン、他方にこのピンが嵌まる孔をそれぞれ設けた構成などでもよい。
さらに、本発明は、上記実施形態の射出成形用金型のホットランナをコールドランナに変更した構成でもよい。
【００２６】
【発明の効果】
このように本発明によれば、金型の開閉時に射出成形機ベースに対して相対移動するキャビプレートにスライドコマを配置することができる射出成形金型等が提供される。
【図面の簡単な説明】
【図１】スリープレート構造のカセット金型の構成および作動を説明するための模式的な断面図である。
【図２】スリープレート構造のカセット金型の構成および作動を説明するための模式的な断面図である。
【図３】スリープレート構造のカセット金型の構成および作動を説明するための模式的な断面図である。
【図４】スリープレート構造のカセット金型の構成および作動を説明するための模式的な断面図である。
【図５】スリープレート構造のカセット金型の構成および作動を説明するための模式的な断面図である。
【図６】本発明の一実施形態の射出成形用金型の一部分を示す模式的な断面図である。
【図７】本発明の一実施形態の射出成形用金型の一部分を示す模式的な断面図である。
【図８】本発明の一実施形態の射出成形用金型の一部分を示す模式的な断面図である。
【符号の説明】
１６：キャビプレート取付け板
１８：ストリッパプレート
２０：キャビプレート
１００：射出成形用金型
１０２：カセット側スライドユニット
１０２ａ：凹部
１０４：スライドレール
１０６：スライドコマ
１０８：ベース
１１０：ベース側スライドユニット
１１０ａ：凸部
【図１】
2004167807.tif 000003
【図２】
2004167807.tif 000004
【図３】
2004167807.tif 000005
【図４】
2004167807.tif 000006
【図５】
2004167807.tif 000007
【図６】
2004167807.tif 000008
【図７】
2004167807.tif 000009
【図８】
2004167807.tif 000010